(57)【特許請求の範囲】
【請求項１】
断熱箱体内に設けられた貯蔵室と、冷気を生成する冷却器と、前記貯蔵室内に配設され前方へ引き出し可能に設けられた上容器と、前記上容器と同じ前記貯蔵室内に前記上容器の下方に重ねて配設され前方へ引き出し可能に設けられた下容器と、前記上容器の収納空間と前記下容器の収納空間との間に設けられた蓄冷部材とを備え、
前記上容器と前記下容器との間に上下に空間を区画する上下仕切壁を備え、前記上下仕切壁に前記蓄冷部材が設けられている冷蔵庫。
【請求項２】
断熱箱体内に設けられた貯蔵室と、冷気を生成する冷却器と、前記貯蔵室内に配設され前方へ引き出し可能に設けられた上容器と、前記上容器と同じ前記貯蔵室内に前記上容器の下方に重ねて配設され前方へ引き出し可能に設けられた下容器と、前記上容器の収納空間と前記下容器の収納空間との間に設けられた蓄冷部材とを備え、
前記上容器及び前記下容器の少なくとも１つの容器は、内部に冷気が導入されず前記冷却器で生成された冷気によって容器外側から冷却される冷蔵庫。
【請求項３】
前記蓄冷部材は、前記貯蔵室の設定温度の下限値より低い温度に融点が設定された蓄冷剤と、前記蓄冷剤を収容する蓄冷容器と、前記蓄冷容器より熱伝導率の高い材料からなり前記蓄冷容器の上面に接触させて設けられた伝熱部とを備える請求項１又は２に記載の冷蔵庫。
【請求項４】
前記下容器の収納空間の上方において前記蓄冷部材の下面を支持する支持面と、前記支持面に穿設された貫通孔とを備え、
前記蓄冷部材が、前記貫通孔を介して前記下容器に設けられた収納空間の上面と対向する請求項１〜３のいずれか１項に記載の冷蔵庫。
【請求項５】
前記冷却器で生成された冷気を前記蓄冷部材へ向けて吹き出す吹出口を備える請求項１〜４のいずれか１項に記載の冷蔵庫。
【発明の詳細な説明】
【技術分野】
【０００１】
本発明の実施形態は、冷蔵庫に関するものである。
【背景技術】
【０００２】
従来、冷蔵室に肉や魚などを収納するチルド室を設け、このチルド室に上下２段の上容器と下容器が引き出し自在に配されている冷蔵庫がある。
【０００３】
このような上下に重ねて設けられた上容器と下容器の内部を冷却する場合、上容器の底面に下容器に連通する通気孔を設け、上容器と下容器のいずれか一方の容器に冷却器で生成された冷気を導入して一方の容器内を冷却するとともに、通気孔を通して一方の容器から他方の容器へ冷気を導入して他方の容器内を冷却している。
【先行技術文献】
【特許文献】
【０００４】
【特許文献１】特開２００１−３３０３６１号公報
【特許文献２】特開２００３−３２９３６２号公報
【特許文献３】特開２００９−４７３８４号公報
【発明の概要】
【発明が解決しようとする課題】
【０００５】
しかしながら、上容器の底面に通気孔を設ける場合、上容器に収納された貯蔵品が通気孔を塞いでしまうと、上下容器の間を通気孔を介して冷気が流通しなくなり、冷気が導入されない容器内部が冷却されなくなる。
【０００６】
そこで、本実施形態では、上段の容器に貯蔵品が収納されても、上下に重ねて設けられた容器内を冷却することができる冷蔵庫を提供することを目的とする。
【課題を解決するための手段】
【０００７】
本実施形態の冷蔵庫は、断熱箱体内に設けられた貯蔵室と、冷気を生成する冷却器と、前記貯蔵室内に配設され前方へ引き出し可能に設けられた上容器と、前記上容器と同じ前記貯蔵室内に前記上容器の下方に重ねて配設され前方へ引き出し可能に設けられた下容器と、前記上容器の収納空間と前記下容器の収納空間との間に設けられた蓄冷部材とを備え、前記上容器と前記下容器との間に上下に空間を区画する上下仕切壁を備え、前記上下仕切壁に前記蓄冷部材が設けられているものである。
【図面の簡単な説明】
【０００８】
【図１】本発明の第１実施形態に係る冷蔵庫の断面図である。
【図２】図１の要部拡大図である。
【図３】図１の冷蔵庫の冷凍サイクルを示す図である。
【図４】本発明の第２実施形態に係る冷蔵庫の要部拡大断面図である。
【発明を実施するための形態】
【０００９】
（第１実施形態）
以下、図面に基づいて本発明の一実施形態について説明する。
【００１０】
本実施形態に係る冷蔵庫１は、図１に示すように、前面に開口する断熱箱体２を備える。断熱箱体２は、鋼板製の外箱４と合成樹脂製の内箱６との間に形成された断熱空間７に真空断熱材や発泡断熱材等の断熱材を有して構成されている。断熱箱体２は内箱６の内側に複数の貯蔵空間が設けられており、具体的には、上段から順に、冷蔵室１０、野菜室１２が設けられ、その下方に製氷室１４と小冷凍室（不図示）が左右に並べて設けられ、これらの下方に冷凍室１８が設けられている。
【００１１】
冷蔵室１０及び野菜室１２は、いずれも冷蔵温度帯（例えば、１〜４℃）に冷却される貯蔵室であり、それらの間は、合成樹脂製の仕切板１３により上下に仕切られている。冷蔵室１０の前面開口部には、ヒンジで枢支された回動式の断熱扉１０ａが設けられている。
【００１２】
冷蔵室１０内は、複数の棚板１１によって上下に複数段に区画されている。冷蔵室１０の底部を構成する仕切板１３と最下段の棚板１１ａとの間には、製氷室１４に設けられた自動製氷機に供給する製氷用の水を貯留する不図示の貯水タンクと、冷蔵室１０の設定温度より低い温度（例えば、０〜１℃）に設定されるチルド室４０とが左右に並べて設けられている。
【００１３】
野菜室１２の前面開口部には、引出し式の断熱扉１２ａが設けられている。この断熱扉１２ａの背面部には、貯蔵容器を構成する上下２段の収納ケース２０が連結されている。
【００１４】
製氷室１４、小冷凍室及び冷凍室１８は、いずれも冷凍温度帯（例えば、−１０〜−２０℃）に冷却される貯蔵室であり、野菜室１２と製氷室１４及び小冷凍室との間は、内部に断熱材が設けられた断熱仕切壁２２により上下に仕切られている。
【００１５】
製氷室１４、小冷凍室及び冷凍室１８の前面開口部には、引出し式の断熱扉１４ａ、１８ａが設けられており、各断熱扉１４ａ、１８ａの背面部に貯蔵容器２４、２８が連結されている。
【００１６】
断熱箱体２の冷蔵温度帯の貯蔵空間（冷蔵室１０及び野菜室１２）の奥部には、冷蔵冷却器５２及び冷蔵ファン５３を収納する冷蔵冷却器室３０と、冷蔵室１０及び冷蔵冷却器室３０を連結するダクト３２とが形成されている。
【００１７】
断熱箱体２の冷凍温度帯の貯蔵空間（製氷室１４、小冷凍室、冷凍室１８）の奥部には、冷凍冷却器５４及び冷凍ファン５５を収納する冷凍冷却器室３４と、冷凍温度帯の貯蔵空間と冷凍冷却器室３４とを連結するダクト３６が設けられている。
【００１８】
冷蔵冷却器５２及び冷凍冷却器５４は、断熱箱体２の背面下部に形成された機械室３８に収納された圧縮機５６や凝縮器５８とともに冷凍サイクル５０を構成する。冷凍サイクル５０は、図３に示すように、高温高圧のガス状の冷媒を吐出する圧縮機５６と、圧縮機５６から吐出されるガス状の冷媒を受けて放熱液化する凝縮器５８と、凝縮器５８の出口側に設けられ冷媒流路を切り換える切替弁６０と、冷蔵冷却器５２及び冷凍冷却器５４と、これらの冷却器５２，５４のための絞り手段としての冷蔵用減圧装置６２及び冷凍用減圧装置６４と、逆止弁６６とを備え、これらを冷媒パイプによって配管接続することで、圧縮機５６から吐出された冷媒を循環させて冷蔵冷却器５２及び冷凍冷却器５４を冷却する。
【００１９】
そして、冷蔵冷却器５２は、冷蔵冷却器室３０の空気を冷却して、後述する蓄冷部材７０に設けられた蓄冷剤７２の融点より低い温度の冷気、例えば、−１０〜−２０℃の冷気を生成し、これを冷蔵ファン５３の回転によってダクト３２を介して吹出口３３から冷蔵室１０及びチルド室４０へ供給し、これらの貯蔵室１０，４０を冷却する。冷蔵室１０及びチルド室４０を流れた空気の一部は、チルド室４０の背面下部に設けられた吸込口２５からリターンダクト３１に流れ込み冷蔵冷却器室３０へ戻り、残りの空気は仕切板１３に設けられた不図示の透孔を経て野菜室１２へ流れ込み野菜室１２を冷却した後、野菜室１２の背面に設けられた吸込口２６からリターンダクト３１に流れ込み冷蔵冷却器室３０へ戻る。
【００２０】
冷凍冷却器５４は、冷凍冷却器室３４の空気を冷却して、例えば、−２０〜−３０℃の冷気を生成し、これを冷凍ファン５５の回転によってダクト３６を介して製氷室１４、小冷凍室及び冷凍室１８に供給され、これらの貯蔵室を冷却しながら流れ、冷凍室１８の背面に設けられた不図示の吸込口から冷凍冷却器５４に戻り冷却される。
【００２１】
このような構成の冷蔵庫１において、最下段の棚板１１ａとその下方に設けられた仕切板１３とで冷蔵室１０内に区画された空間には、幅方向一方側に寄せて不図示の製氷タンクを収納するタンク室が区画され、幅方向他方側に上下に重ねて設けられた上容器４２及び下容器４４を収納するチルド室４０が区画されている。
【００２２】
最下段の棚板１１ａは、チルド室４０の天井壁を構成し、この例では、図２に示すように発泡スチロールなどの断熱材を所定形状に成型した断熱成型体１１ａ１と、その上面を覆う化粧板１１ａ２とからなり、チルド室４０の上面が断熱成型体１１ａ１によって覆われている。最下段の棚板１１ａの前端部には、ヒンジ４６ａによって回動自在に設けられた蓋体４６が吊り下げられている。
【００２３】
上容器４２は、平面形状が略矩形状の上面に開口する合成樹脂製の容器からなり、内部に食品などの貯蔵物を収納する収納空間が形成されている。上容器４２の前端部には、上方へ向けて陥没し下方から手を挿入可能な上手掛け部４２１が形成されている。上容器４２の左右側面の外側には、チルド室４０に設けられた不図示のレール受部を前後方向に摺動するレール４２２が形成されている。
【００２４】
上容器４２の前端部上方には、棚板１１ａの前端部下面との間に開口部が形成され、該開口部が蓋体４６によって閉塞されている。上容器４２の左右の側面は、前部から中央部に行くほど上方に膨らむ膨出部４２３が形成されている。
【００２５】
このような上容器４２は、チルド室４０に収納された状態からレール受部上を摺動して前方へ引き出され、上容器４２の上面開口部から食品などの貯蔵品を出し入れするようになっている。その際、膨出部４２３が蓋体４６を前方へ押し上げる。
【００２６】
上容器４２の底面４２４は、蓄冷部材７０が着脱可能に設けられており、この蓄冷部材７０の上方に貯蔵品を収納する収納空間が形成されている。上容器４２の底面４２４は、上容器４２の下方に設けられる下容器４４の収納空間の上方を覆い、下容器４４の天井面を構成する。この例では、上容器４２の底面４２４に複数の貫通孔４２５が穿設され、底面４２４に載置された蓄冷部材７０が貫通孔４２５を塞ぐように設けられ、これにより、蓄冷部材７０が貫通孔４２５を介して下容器４４の収納空間と対向している。
【００２７】
この蓄冷部材７０は、融解潜熱の大きな混合物からなる蓄冷剤７２と、樹脂フォルムなどフィルム材で形成された袋状の蓄冷容器７４と、蓄冷容器７４に接触させ熱交換可能に設けられた伝熱部７６とを備える。
【００２８】
蓄冷剤７２は、水や無機塩や食品添加物等を混合した混合物からなり、これらの混合比率を調整して融点がチルド室４０の設定温度より低い温度（例えば、０℃）に設定されている。蓄冷剤７２は、袋状の蓄冷容器７４に収容され略平板状に成形されており、上容器４２の底面４２４に着脱可能に設けられている。
【００２９】
伝熱部７６は、蓄冷剤７２を収容する蓄冷容器７４より熱伝導率の高い材料（例えば、アルミニウム板等の金属板）で形成された板状体からなり、蓄冷剤７２を収容した蓄冷容器７４の上面に接触させ上容器４２の底面４２４のほぼ全面にわたって設けられており、上容器４２に収納される貯蔵品を載置する載置面を構成している。
【００３０】
上容器４２の後方には、吹出口３３のうち最下方に設けられた吹出口３３ａが開口している。この例では、吹出口３３ａは、上容器４２の上面開口部より上方位置に設けられ、ダンパ３７によって開閉可能に設けられている。冷蔵冷却器室３０で生成された冷気は、吹出口３３ａより吹き出して上容器４２の上面開口部から内部に導入される。上容器４２へ導入された冷気は、上容器４２の背面に設けられた排気孔４２６より上容器４２外部へ排出され、チルド室４０の背面下部に設けられた吸込口２５からリターンダクト３１に流れ込み冷蔵冷却器室３０へ戻る。
【００３１】
下容器４４は、平面形状が略矩形状の上面に開口する合成樹脂製の容器からなり、内部に食品などの貯蔵物を収納する収納空間が形成されている。下容器４４の前端部には、下方へ向けて陥没し上方から手を挿入可能な下手掛け部４４１が形成されている。
【００３２】
この例では、下容器４４は、チルド室４０に収納された状態において、上面の開口部が上方に設けられた上容器４２の底面４２４によって閉塞されており、吹出口３３より冷蔵室１０に吹き出した冷気が下容器４４の内部に導入されないようになっている。
【００３３】
また、下容器４４の左右側面の外側には、チルド室４０に設けられた不図示のレール受部を前後方向に摺動するレール４４２が形成されている。これにより、下容器４４は、チルド室４０に収納され上面開口部が上容器４２の底面４２４によって閉塞された状態からレール受部上を摺動して上容器４２の底面４２４より前方へ引き出され、上容器４２の上面開口部から食品などの貯蔵品を出し入れするようになっている。
【００３４】
以上のような構成の冷蔵庫１では、圧縮機５６、切替弁６０、冷蔵ファン５３や冷凍ファン５５を制御することで、冷蔵冷却器５２に冷媒を流しつつ冷蔵ファン５３を運転させて冷蔵室１０及び野菜室１２を冷却する冷蔵モードと、冷凍冷却器５４側へ冷媒を流しつつ冷凍ファン５５を運転させて製氷室１４、小冷凍室、及び冷凍室１８を冷却する冷凍モードとを切り替えて実行する。
【００３５】
冷蔵モードでは、吹出口３３より冷蔵室１０に冷気が吹き出して冷蔵室１０内を冷却しながら流れ、冷蔵室１０を冷却した冷気の一部が、下容器４４と仕切板１３との間に形成された流路２７を前方から後方へ流れ、チルド室４０の背面下部に設けられた吸込口２５からリターンダクト３１に流れ込み冷蔵冷却器室３０へ戻る（図２参照）。その際、下容器４４は、流路２７を流れる冷気により下容器４４の外側から間接的に冷却される。
【００３６】
上容器４２は、冷蔵モードの実行中にチルド室４０の後方に設けられた吹出口３３ａのダンパ３７を開放することで冷却される。
【００３７】
具体的には、冷蔵冷却器５２で生成された冷気は、冷蔵ファン５３の動作によって送風され、図１及び図２において矢印で示すように吹出口３３ａから前方へ向けて吹き出して上容器４２へ流れ込む。
【００３８】
吹出口３３ａから吹き出した冷気は、上容器４２内部を冷却しながら前方へ流れ、上容器４２の前面及び蓋体４６に当たって下方へ向きを変えた後、上容器４２の底面４２４に設けられた蓄冷部材７０の伝熱部７６と直接熱交換してこれを冷却しながら後方へ向けて流れる。
【００３９】
これにより、伝熱部７６は、吹出口３３ａから吹き出した冷気と直接熱交換して得た冷熱を伝熱部７６の下面に設けられた蓄冷剤７２へ伝え、蓄冷剤７２を冷却する。冷蔵冷却器５２で生成される冷気は、蓄冷剤７２の融点より低い温度まで冷却されているため、蓄冷剤７２が凝固して冷熱を蓄熱する。
【００４０】
そして、伝熱部７６を冷却しながら後方へ向かって流れた冷気は、上容器４２の背面に設けられた排気孔４２６から上容器４２外部へ排出され、チルド室４０の背面下部に設けられた吸込口２５からリターンダクト３１に流れ込み冷蔵冷却器室３０へ戻る。
【００４１】
また、チルド室４０に設けられた上容器４２及び下容器４４は、吹出口３３、３３ａから吹き出した冷気以外にも、上容器４２の底面４２４に設けられた蓄冷部材７０によっても冷却されるようになっている。
【００４２】
具体的には、冷蔵モードの停止や冷蔵室扉１０ａの開扉により、上容器４２や上容器４４の内部温度が、蓄冷部材７０に設けられた蓄冷剤７２の融点より高くなると、蓄冷剤７２が融解しそのときに生じる潜熱によって上容器４２及び下容器４４の内部を冷却する。
【００４３】
一方、冷蔵冷却器５２で冷却された冷気が上容器４２内部に過度に導入され、上容器４２内の温度が蓄冷剤７２の融点より低くなると、蓄冷剤７２が上容器４２内から吸熱し、上容器４２内の過冷却を抑える。
【００４４】
以上のように本実施形態の冷蔵庫１では、上容器４２に形成された収納空間と下容器４４に形成された収納空間との間に設けられた蓄冷部材７０が下容器４４の内部を冷却することができ、上容器４２に収納された貯蔵品によって下容器４４の冷却が妨げられることがない。
【００４５】
また、本実施形態では、蓄冷剤７２を収容した蓄冷容器７４より熱伝導率の高い材料で形成された伝熱部７６が蓄冷容器７４に接触状態で設けられているため、吹出口３３ａから吹き出した冷気と熱交換が促進され蓄冷剤７２を効率的に冷却することができる。
【００４６】
また、下容器４４は、内部に冷気が導入されることなく冷蔵室１０を流れる冷気や上容器４２に設けられた蓄冷部材７０によって下容器４４の外側から間接的に冷却することができるため、温度変動を抑え所望温度に下容器４４を保つことができる。
【００４７】
しかも、上容器４２の底面４２４に載置された蓄冷部材７０は、底面４２４に設けられた貫通孔４２５を介して下容器４４の上面開口部と対向しているため、蓄冷部材７０で発生した冷熱を下容器４４へ伝達しやすくなり、下容器４４を所望温度へ速やかに冷却することができる。
【００４８】
本実施形態では、蓄冷部材７０が上容器４２に着脱可能に設けられているため、蓄冷部材７０を取り外して上容器４２を広く使用することができ、使い勝手を向上させることができる。
【００４９】
本実施形態では、チルド室４０の天井壁を構成する最下段の棚板１１ａが、断熱材からなる断熱成型体１１ａ１を有しているため、チルド室４０より高い温度に設定された冷蔵室１０へチルド室４０の冷熱が漏洩するのを抑えることができる。
【００５０】
また、冷蔵冷却器５２の除霜運転を行うために冷蔵冷却器５２への冷媒供給を停止した状態で冷蔵ファン５３を動作させると、冷蔵ファン５３よりチルド室４０の設定温度より高い温度の空気が冷蔵ファン５３から吹き出すことがあるが、本実施形態では、吹出口３３ａにダンパ３７が設けられているため、蓄冷剤７２の融点より高温の空気が上容器４２内へ送風されることがなく、不用意に上容器４２及び下容器４４内の温度が上昇することがない。
【００５１】
（変更例１）
上記した第１実施形態の冷蔵庫１では、吹出口３３ａより吹き出した冷気が、上容器４２内部を冷却しながら流れた後、伝熱部７６と熱交換して蓄冷部材７０を冷却するように構成したが、冷蔵冷却器５２で冷却された冷気が吹出口３３ａから蓄冷部材７０に向けて吹き出すように構成したり、あるいは、吹出口３３ａと別個に設けた吹出口から蓄冷部材７０に向けて冷蔵冷却器５２で冷却された冷気を吹き出すように構成してもよい。このような場合、蓄冷部材７０が冷蔵冷却器５２で冷却された直後の低温の冷気と熱交換することとなり、融点がチルド室４０の設定温度より低い温度に設定された蓄冷剤７２であっても短時間で凝固させることができる。
【００５２】
（変更例２）
上記した第１実施形態の冷蔵庫１では、冷蔵ファン５３が、冷蔵冷却器５２で生成した冷気をダクト３２を介して冷蔵室１０へ送風するとともに、上容器４２に設けられた蓄冷部材７０の伝熱部７６にも送風したが、冷蔵ファン５３と別個のファンを設け、当該ファンによって冷蔵冷却器５２で生成した冷気を蓄冷部材７０へ送風してもよい。このように冷蔵室１０へ送風する冷蔵ファン５３と別個のファンが冷蔵冷却器５２で生成された冷気を蓄冷部材７０の伝熱部７６に送風することで、冷蔵冷却器５２で生成された冷気を蓄冷部材７０の冷却に集中させて蓄冷剤７２を短時間で凝結させたり、冷蔵室１０と独立してチルド室４０に設けられた上容器４２及び下容器４４を冷却することができる。
【００５３】
（変更例３）
上記した第１実施形態の冷蔵庫１では、上容器４２の底面４２４に蓄冷部材７０を設けることで、上容器４２内部に形成された収納空間と、下容器４４内部に形成された収納空間との間に蓄冷部材７０を設けたが、これに加えて、例えば、上容器４２の上面開口部と対向するように最下段の棚板１１ａに蓄冷部材を設けたり、下容器４４の底面と対向するように仕切板１３に蓄冷部材を設けたり、あるいは、上容器４２及び下容器４４の背面に蓄冷部材を取り付けてもよい。このような場合、上容器４２及び下容器４４を冷却する蓄冷部材７０の設置面積を拡大することができ、より一層、上容器４２及び下容器４４の温度変動を抑えつつ内部を所望温度に冷却することができる。
【００５４】
（第２実施形態）
次に、本発明の第２実施形態について図４を参照して説明する。
【００５５】
上記した第１実施形態では、上容器４２の底面４２４に蓄冷部材７０を設ける場合について説明したが、本実施形態では、上容器４２と下容器４４との間に設けられた上下仕切壁７７に蓄冷部材７０が設けられている。
【００５６】
上容器４２と下容器４４との間には、図４に示すように、空間を上下に区画する上下仕切壁７７が設けられており、上下仕切壁７７と最下段の棚板１１ａとの間に形成された空間に上容器４２が収納され、上下仕切壁７７と仕切板１３との間に形成された空間に下容器４４が収納されている。上下仕切壁７７は、蓄冷部材７０とその周りを覆うカバー体７７１とからなり、カバー体７７１がチルド室４０に固定されている。
【００５７】
蓄冷部材７０の下側を覆うカバー体７７１には、複数の貫通孔７７２が穿設され、貫通孔７７２を介して蓄冷部材７０と下容器４４の収納空間と対向している。
【００５８】
このような本実施形態では、蓄冷部材７０が上下仕切壁７７に設けられており、上容器４２をチルド室４０から前方へ引き出しても蓄冷部材７０がチルド室４０内に残るため、上容器４２の引き出し動作が重くならず使い勝手を向上することができる。
【００５９】
なお、その他の構成及び作用効果は上記した第１実施形態と同様であり、詳細な説明は省略する。
【００６０】
（他の実施形態）
以上、本発明の実施形態を説明したが、これらの実施形態は例として提示したものであり、発明の範囲を限定することを意図していない。これらの実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００６１】
１…冷蔵庫、２…断熱箱体、１０…冷蔵室、１１…棚板、１１ａ…化粧板、１１１…断熱成型体、１１２…棚板、１２…野菜室、２５…吸込口、２６…吸込口、２７…流路、３０…冷蔵冷却器室、３１…リターンダクト、３２…ダクト、３３…吹出口、３３ａ…吹出口、４０…チルド室、４２…上容器、４２１…上手掛け部、４２２…レール、４２２…膨出部、４２４…底面、４２５…貫通孔、４２６…排気孔、４４…下容器、４６…蓋体、４６ａ…ヒンジ、４４１…下手掛け部、４４２…レール、５０…冷凍サイクル、５２…冷蔵冷却器、５３…冷蔵ファン、５４…冷凍冷却器、５５…冷凍ファン、７０…蓄冷部材、７２…蓄冷剤、７４…蓄冷容器、７６…伝熱部、７７１…カバー体、７７２…貫通孔
【図１】
0006607745.tif 000002
【図２】
0006607745.tif 000003
【図３】
0006607745.tif 000004
【図４】
0006607745.tif 000005